(57)【要約】      （修正有）【課題】構造が簡単でありながら、トラブルのおそれがない展示器具を提供する。【解決手段】棚プレートを支持する支持ブラケット２は、棚柱１に係合可能な係合部４と、係合部４に略直交する突出部５とで構成され、係合部４は、基端部２０ａと先端部２０ｂとで略Ｌ字板状に形成され、棚柱１の開口穴ＨＯに挿入可能な進入部２０を有する。この進入部２０が挿入された開口穴ＨＯの残余空間に、支持ブラケット２の上下動を規制する規制部材の規制突部を没入させる。【選択図】図２
2016022178.tif 000002
【特許請求の範囲】
【請求項１】
所定ピッチで上下方向に離散配置された複数の開口穴を有して、床面から立設される複数本の棚柱と、棚柱の開口穴に保持されて棚プレートなどの陳列補助具を支持する板状の支持ブラケットと、陳列補助具又は支持ブラケットを安定姿勢に保持する規制部材と、を有して構成された展示器具であって、
前記支持ブラケットは、取り付け状態において水平面より鉛直面の方が広い板状であって、棚柱に沿って上下方向に延びて棚柱に係合可能な係合部と、係合部に略直交して陳列補助具の下面又は端面を支持可能な突出部と、が一体化されて構成され、
前記係合部は、棚柱の開口穴に挿入可能に構成された複数の進入部と、進入部の挿入時に棚柱の鉛直表面に当接する当接面を有する露出部とを有し、複数の進入部は、各々、露出部に連続する基端部と、基端部より上下寸法が長い先端部とで全体として略Ｌ字板状に形成されており、
前記規制部材には、棚柱の開口穴に没入させて棚柱に係合させることで、支持ブラケット又は陳列補助具の上下動を規制する規制突部が形成されていることを特徴とする展示器具。
【請求項２】
前記規制部材は、露出部に磁着されるか、露出部の鉛直面を挟着することで、露出部の鉛直面を摺動可能に構成された本体部と、本体部の板厚方向に屈曲形成されて、本体部から突出する薄板状の規制突部と、を有して構成され、
規制突部は、棚柱の開口穴に挿入された進入部の上方に形成される開口穴の残余空間の上下寸法より短い上下寸法と、開口穴の残余空間に挿入可能な板厚寸法と、を有し、これを開口穴の残余空間に没入させると、支持ブラケットの上下動が規制されるよう構成されている請求項１に記載の展示器具。
【請求項３】
規制部材の本体部は、露出部の鉛直面を挟着する一対の挟着面と、一対の挟着面を上方位置で連絡する連絡面とを有して、連絡面の下方が解放されており、
規制部材の規制突部は、一方の挟着面から開口穴の残余空間に没入可能に屈曲形成されている請求項２に記載の展示器具。
【請求項４】
進入部の基端部の下方には、規制部材の連絡面を収容可能な作業空間が形成されており、
この作業空間に規制部材の連絡面を収容した状態で、一対の挟着面が露出部の鉛直面を摺動することで、規制部材の規制突部が、開口穴の残余空間に没入されるよう構成されている請求項３に記載の展示器具。
【請求項５】
規制部材の本体部は、板状の永久磁石を保持して構成され、
規制部材の規制突部は、開口穴の残余空間に没入可能に屈曲形成されている請求項２に記載の展示器具。
【請求項６】
前記規制部材は、取り付け状態で棚プレートの上面に当接される当接バーと、当接バーを上下方向に螺進可能に保持する保持ベース部と、棚柱の開口穴に没入可能な上下寸法を有して保持ベース部に連続する複数の係合フック部と、を有して構成され、
複数の係合フック部には、保持ベース部との接続部において、下方に向けて切除された切欠きが形成されており、
係合フック部を棚柱の開口穴に没入させた後、当接バーを保持ベース部の下方に向けて螺進させることで、当接バーの先端を棚プレートの上面に当接させると共に、当接バーを更に螺進させることで、係合フック部の切欠きが棚柱に係合することで、棚プレートの上下動が規制されるよう構成されている請求項１に記載の展示器具。
【請求項７】
前記規制部材は、本体部から略直交して突出する規制突部を有し、前記規制突部は、本体部に連続する基端部と、基端部から略平行に突出する複数の突出片とを有して構成され、
前記規制突部は、棚柱の開口穴に挿入された進入部の上方に形成される開口穴の残余空間の上下寸法より短い上下寸法と、開口穴の残余空間に挿入可能な板厚寸法と、を有し、これを開口穴の残余空間に没入させると、支持ブラケットの上下動が規制されるよう構成されている請求項１に記載の展示器具。
【請求項８】
請求項１〜７の何れかの展示器具を構成する規制部材。
【請求項９】
請求項１〜７の何れかの展示器具を構成する支持ブラケット。
【発明の詳細な説明】
【技術分野】
【０００１】
本発明は、小売り店舗などで商品を展示するために使用する展示器具に関する。
【背景技術】
【０００２】
小売り店舗などでは、各種の商品を消費者に見やすいように展示して購買意欲をそそる必要があり、各種の陳列棚が活用されている。
【発明の概要】
【発明が解決しようとする課題】
【０００３】
しかし、従来の陳列棚は、その構成要素が多く、またやや構造が複雑であるので、その組立てや分解が必ずしも容易ではなく、店舗の店員の負担にもなっていた。一方、陳列棚の構成を簡略化したために、万一、陳列棚が倒れたり、或いは、陳列棚の一部が落下したのでは、せっかく綺麗に展示した商品が台無しとなり、また、顧客に与える不快感も大きい。
【０００４】
本発明は、上記の問題点に鑑みてなされたものであって、構造が簡単でありながら、トラブルのおそれがない展示器具を提供することを目的とする。
【課題を解決するための手段】
【０００５】
上記の目的を達成するため、本発明は、所定ピッチで上下方向に離散配置された複数の開口穴を有して、床面から立設される複数本の棚柱と、棚柱の開口穴に保持されて棚プレートなどの陳列補助具を支持する板状の支持ブラケットと、陳列補助具又は支持ブラケットを安定姿勢に保持する規制部材と、を有して構成された展示器具であって、前記支持ブラケットは、取り付け状態において水平面より鉛直面の方が広い板状であって、棚柱に沿って上下方向に延びて棚柱に係合可能な係合部と、係合部に略直交して陳列補助具の下面又は端面を支持可能な突出部と、が一体化されて構成され、前記係合部は、棚柱の開口穴に挿入可能に構成された複数の進入部と、進入部の挿入時に棚柱の鉛直表面に当接する当接面を有する露出部とを有し、複数の進入部は、各々、露出部に連続する基端部と、基端部より上下寸法が長い先端部とで全体として略Ｌ字板状に形成されており、前記規制部材には、棚柱の開口穴に没入させて棚柱に係合させることで、支持ブラケット又は陳列補助具の上下動を規制する規制突部が形成されている。
【０００６】
なお、本発明における上下方向は、取付状態における上下方向を意味する。前記規制部材は、露出部に磁着されるか、露出部の鉛直面を挟着することで、露出部の鉛直面を摺動可能に構成された本体部と、本体部の板厚方向に屈曲形成されて、本体部から突出する薄板状の規制突部と、を有して構成され、規制突部は、棚柱の開口穴に挿入された進入部の上方に形成される開口穴の残余空間の上下寸法より短い上下寸法と、開口穴の残余空間に挿入可能な板厚寸法と、を有し、これを開口穴の残余空間に没入させると、支持ブラケットの上下動が規制されるよう構成されているのが好適である。
【０００７】
ここで、規制部材の本体部は、露出部の鉛直面を挟着する一対の挟着面と、一対の挟着面を上方位置で連絡する連絡面とを有して、連絡面の下方が解放されており、規制部材の規制突部は、一方の挟着面から開口穴の残余空間に没入可能に屈曲形成されているのが好適である。この場合、進入部の基端部の下方には、規制部材の連絡面を収容可能な作業空間が形成されており、この作業空間に規制部材の連絡面を収容した状態で、一対の挟着面が露出部の鉛直面を摺動することで、規制部材の規制突部が、開口穴の残余空間に没入されるよう構成されているのが好適である。
【０００８】
一方、規制部材の本体部は、板状の永久磁石を保持して構成され、規制部材の規制突部は、開口穴の残余空間に没入可能に屈曲形成されているのも好適である。
【０００９】
また、本発明は、前記規制部材は、取り付け状態で棚プレートの上面に当接される当接バーと、当接バーを上下方向に螺進可能に保持する保持ベース部と、棚柱の開口穴に没入可能な上下寸法を有して保持ベース部に連続する複数の係合フック部と、を有して構成され、複数の係合フック部には、保持ベース部との接続部において、下方に向けて切除された切欠きが形成されており、係合フック部を棚柱の開口穴に没入させた後、当接バーを保持ベース部の下方に向けて螺進させることで、当接バーの先端を棚プレートの上面に当接させると共に、当接バーを更に螺進させることで、係合フック部の切欠きが棚柱に係合することで、棚プレートの上下動が規制されるよう構成されているのも好適である。
【００１０】
また、本発明の規制部材は、本体部から略直交して突出する規制突部を有し、前記規制突部は、本体部に連続する基端部と、基端部から略平行に突出する複数の突出片とを有して構成され、前記規制突部は、棚柱の開口穴に挿入された進入部の上方に形成される開口穴の残余空間の上下寸法より短い上下寸法と、開口穴の残余空間に挿入可能な板厚寸法と、を有し、これを開口穴の残余空間に没入させると、支持ブラケットの上下動が規制されるよう構成されているのも好適である。
【００１１】
なお、本発明は、上記した何れかの展示器具を構成する規制部材、又は、上記した何れかの展示器具を構成する支持ブラケットでもある。
【発明の効果】
【００１２】
上記した本発明によれば、構造が簡単でありながら、トラブルのおそれがない展示器具を実現することができる。
【図面の簡単な説明】
【００１３】
【図１】実施例に係る陳列棚の全体構成を示す斜視図である。
【図２】支持ブラケットを示す図面である。
【図３】第１規制部材を説明する図面である。
【図４】別の第１規制部材を説明する図面である。
【図５】第２規制部材を説明する図面である。
【図６】更に別の第１規制部材を説明する図面である。
【図７】支持ブラケットの変形例を示す図面である。
【図８】別の陳列補助具を説明する図面である。
【発明を実施するための形態】
【００１４】
以下、実施例について更に詳細に説明する。図１は、実施例に係る展示器具である陳列棚ＤＩＳＰを示す斜視図である。図１には、床面から立設される複数本の棚柱１・・・１と、整列した棚柱１・・・１の前面に配置される陳列補助具たる棚プレート３と、棚柱１の開口穴ＨＯに保持されて棚プレート３の下面を支持する板状の支持ブラケット２・・・２とが示されている。なお、この陳列棚ＤＩＳＰは、例えば、商品を展示する用途で使用され、小売店舗などに配置される。
【００１５】
なお、図１では、支持ブラケット２が支持する陳列補助具として、棚プレート３を例示しているが、この支持ブラケット２は、若干の形状変更によって、丸パイプ状又は角パイプ状の陳列補助具（図８参照）を支持することもできる。なお、この点は、更に後述するとして、以下では、先ず、棚プレート３を使用する実施例について説明する。
【００１６】
棚柱１は、所定の板厚ｔの鋼材で構成された中空の四角柱であり、その鉛直端面には、所定の配列ピッチτで上下方向に複数の開口穴ＨＯが離散的に形成されている。なお、図示の通り、この実施例で使用する開口穴ＨＯは、左右幅Ｗ、上下高さＨ、深さｔの矩形穴である。
【００１７】
また、支持ブラケット２は、例えば、クロムメッキされた金属板で構成され、棚プレート３は、金属板や樹脂板などで構成される。図示の通り、本実施例では、支持ブラケット２の基端側（図２に示す進入部２０）を、棚柱１の開口穴ＨＯに挿入した状態では、その開口穴ＨＯの上部に、所定の残余空間ＲＶが形成される。そして、この残余空間ＲＶに、第１規制部材３０（図３、図４）を挿入することで、支持ブラケット２の抜け落ちを防止して安定姿勢が維持される。
【００１８】
また、この実施例では、残余空間ＲＶの上側に位置する開口穴ＨＯに、第２規制部材４０（図５）を係合させた後、第２規制部材４０が棚プレート３を適度に押圧することで、棚プレート３の跳ね上がりを防止して安定姿勢が維持される。
【００１９】
図２は、支持ブラケット２を示す正面図であり、その鉛直面ＦＶを棚柱１の開口穴ＨＯとの関係で図示している。図示の通り、支持ブラケット２は、棚柱１に沿って上下方向に延びる係合部４と、係合部４に略直交して棚プレート３の下面を支持する突出部５とで一体構成されている。この支持ブラケット２は、板厚ｗ（２〜３ｍｍ程度）の板材で構成され、棚柱１への取り付け状態では、板厚に対応する水平幅ｗの載置面ＦＨが、棚プレート３の下面を支持している。そして、突出部５の先端には、棚プレート３の滑り落ちを阻止する阻止部ＳＴが形成されている。
【００２０】
係合部４は、使用時に棚柱１に進入する複数個所の進入部２０と、棚柱１の鉛直端面に当接される当接面ＦＡを有する露出部２１とに区分される。複数の進入部２０は、開口穴ＨＯの配列ピッチτに対応するピッチτで配置されており、図２の実施例では、進入部２０が２箇所に形成されている。複数の進入部２０は、各々、その板厚ｗが開口穴ＨＯの左右幅Ｗより薄く（ｗ＜Ｗ）、その上下高さｈが、棚柱１の上下高さＨより低く設定されており（ｈ＜Ｈ）、開口穴ＨＯに挿入可能な形状を有している。
【００２１】
進入部２０は、より詳細には、露出部２１に連続する基端部２０ａと、基端部２０ａより上下寸法が長い先端部２０ｂとで、全体として略Ｌ字板状のフック形状を実現しており、各進入部２０は、露出部２１との間に、切込み深さＭ、離間幅Ｔの隙間を形成している。ここで、離間幅Ｔは、棚柱１の板厚ｔよりやや大きく設定されおり（Ｔ≒ｔ）、この離間幅Ｔの隙間に、板厚ｔの棚柱１（開口穴ＨＯの下方の鋼材）を引っ掛けることで、支持ブラケット２が開口穴ＨＯに係止される。
【００２２】
また、この実施例では、最上部の進入部２０に連続する露出部２１が一部切除されることで、露出部２１と進入部２０とで、離間幅Ｔを左右方向に広げた作業空間ＳＰを形成している。但し、上下何れの進入部２０においても、その基端部２０ａの上下幅Ｌは同じである。
【００２３】
一方、作業空間ＳＰの左右幅や上下高さは、特に限定されないが、実施例では、左右幅２×Ｔ程度、上下高さ１．３×Ｍ程度に設定されている。なお、Ｍは、進入部２０と露出部２１の間に形成される隙間の切込み深さである。
【００２４】
次に、図３は、支持ブラケット２と組み合わせて使用される第１規制部材３０を示す斜視図である。この第１規制部材３０は、バネ性を有する薄い金属板を断面略Ｕ字状に屈曲形成して構成される。より具体的には、対面配置される一対の挟着面Ｆａ，Ｆｂと、一対の挟着面Ｆａ，Ｆｂの上部位置を傾斜状態で連絡する傾斜連絡面Ｆｃと、一方の挟着面Ｆａの下方位置から他方の挟着面Ｆｂに向けて傾斜して突出する規制突部３２とで構成されている。
【００２５】
ここで、規制突部３２は、開口穴ＨＯの残余空間ＲＶ（図１）に対応する形状と寸法を有しており、棚柱１の開口穴ＨＯに支持ブラケット２の進入部２０を挿入した状態でも、その残余空間ＲＶに規制突部３２を挿入できるよう構成されている。すなわち、規制突部３２の高さ寸法は、残余空間ＲＶの高さ寸法（Ｈ−Ｌ）より短く、その板厚は、残余空間ＲＶの横幅Ｗより遥かに薄い。
【００２６】
本実施例の場合、一対の挟着面Ｆａ，Ｆｂと連絡面Ｆｃとで第１規制部材３０の本体部３１を構成し、一対の挟着面Ｆａ，Ｆｂが互いに対面している。但し、挟着面Ｆａ，Ｆｂの対面間隔は、連絡面Ｆｃの位置が最大であり、操作部ＧＤを設けた本体部３１の解放端に向けて漸次狭くなっている。
【００２７】
ここで、挟着面Ｆａ，Ｆｂの対面間隔Ｄは、その最少間隔Ｄｍｉｎが、支持ブラケット２の板厚ｗよりやや狭く（Ｄｍｉｎ＜ｗ）、それ以外の位置では、支持ブラケット２の板厚ｗよりやや広くなっている（Ｄ≒ｗ）。また、本体部３１の操作部ＧＤを支持ブラケット２に押し当てると、本体部３１のバネ性に基づき、挟着面Ｆａ，Ｆｂの対面間隔Ｄがやや広がることで、挟着面Ｆａ，Ｆｂを進入させることができ、その結果、一対の挟着面Ｆａ，Ｆｂが、支持ブラケット２の鉛直面を挟持することになる。
【００２８】
先に説明した通り、連絡面Ｆｃは、一対の挟着面Ｆａ，Ｆｂを上方位置で連絡しており、連絡面Ｆｃの下方は解放されている。そして、連絡面Ｆｃの上下高さは、作業空間ＳＰの上下高さ（１．３×Ｍ）より、やや低く設定されている。そのため、第１規制部材３０の挟着面Ｆａ，Ｆｂが支持ブラケット２の露出部２１を挟持した状態で、挟着面Ｆａ，Ｆｂを作業空間ＳＰに向けて摺動させることで、連絡面Ｆｃを作業空間ＳＰに収容することができる。
【００２９】
この収容状態では、連絡面Ｆｃの位置を支点にして、第１規制部材３０を適宜に揺動させることができるので、第１規制部材３０の規制突部３２を揺動させて残余空間ＲＶを没入させることも、没入させた規制突部３２を残余空間ＲＶから引き出すことも可能となる。なお、このような揺動作業や摺動作業において、本体部３１の操作部ＧＤは、各作業時の操作片として機能する。
【００３０】
図３（ｂ）〜図３（ｅ）は、これらの動作を図示したものである。具体的には、図３（ｂ）〜図３（ｃ）は、第１規制部材３０の挟着面Ｆａ，Ｆｂが支持ブラケット２の露出部２１を挟持した状態で、挟着面Ｆａ，Ｆｂを作業空間ＳＰに向けて摺動させる動作を示している。また、図３（ｄ）〜図３（ｅ）は、連絡面Ｆｃの位置を支点にして、第１規制部材３０を揺動揺動させて、規制突部３２を残余空間ＲＶに没入させる動作を示している。
【００３１】
図４は、第１規制部材３０について、別の実施例を図示したものである。この第１規制部材３０は、矩形箱状の本体部３１と、本体部３１からやや傾斜して突出する規制突部３２とで構成されている。図示の通り、本体部３１には、板状の永久磁石ＭＧが収容されており、また、本体部３１には操作部ＧＤが板状に形成されている。
【００３２】
規制突部３２は、本体部３１の一部を屈曲して構成されるが、規制突部３２の突出開始位置は、永久磁石ＭＧを収容した状態の本体部３１の下面より更に下方位置になっている。そのため、この規制部材３０を支持ブラケット２の係合部４に磁着させて、進入部２０の方向に摺動させると、規制突部３２全体が当接面ＦＡを乗り越えた後、図４（ｃ）に示す断面視状態となる。
【００３３】
この図４（ｃ）の状態では、紙面の直交方向への規制突部３２の移動が基端部２０ａ及び先端部２０ｂの端面で阻止される関係となる。
【００３４】
したがって、支持ブラケット２の係合部４（進入部２０）を、棚柱１の開口穴ＨＯに挿入した後、係合部４に磁着した第１規制部材３０を摺動させて、規制突部３２を残余空間ＲＶに没入させて図４（ｃ）の状態にすれば、その後は、支持ブラケット２の移動が規制突部３２に規制されることになり、支持ブラケット２の取付姿勢が安定的に維持される。したがって、この規制部材３０によっても、支持ブラケット２の抜け落ちを防止して、安定姿勢を維持することができる。なお、図４の規制部材３０を使用する場合には、支持ブラケット２に、作業空間ＳＰを設ける必要は無い。
【００３５】
図５は、第２規制部材４０を示す斜視図であり、棚柱１から棚プレート３の方向を見て左側に使用される左側部材４０Ｌと、右側に使用される右側部材４０Ｒとを示している。そして、何れの第２規制部材４０ｌ，４０Ｒも、金属本体部ＭＴＬに、当接バーＢＡＲを螺合させて使用される。
【００３６】
当接バーＢＡＲは、操作ヘッド５１から突出するネジ軸５２の先端に、樹脂製の当接キャップ５３を嵌合させて構成され、使用状態では、当接キャップ５３が棚プレート３の上面に当接される。
【００３７】
一方、金属本体部ＭＴＬは、当接バーＢＡＲを上下方向に螺進可能に保持する保持ベース部４１と、棚柱１の開口穴ＨＯに没入可能な上下寸法（高さがＨ以下）を有する複数の係合フック部４２と、を有して構成されている。図示の通り、係合フック部４２には、保持ベース部４１との接続部において、下方に向けて切除された切欠きＣＵＴが形成されている。切欠きＣＵＴの切除幅Ｔは、棚柱１の板厚ｔよりやや大きく設定されおり（Ｔ≒ｔ）、この切除幅Ｔの隙間に、板厚ｔの棚柱１（開口穴ＨＯの上方の鋼材）を引っ掛けることで、第２規制部材４０の金属本体部ＭＴＬが、開口穴ＨＯに係止されることになる。
【００３８】
図５（ｂ）と図５（ｃ）は、この使用状態を図示したものであり、例えば、図５（ｂ）では、第２規制部材４０Ｌの係合フック部４２を、棚柱１の開口穴ＨＯに没入させた後、当接バーＢＡＲを保持ベース部４１の下方に向けて螺進させて、当接キャップ５３の先端を棚プレート３の上面に当接させている。そして、この当接状態で、当接バーＢＡＲを更に螺進させて、係合フック部４２の切欠きＣＵＴを棚柱１に係合されると、棚プレート３の上下動が規制される。
【００３９】
なお、この関係は、図５（ｃ）の場合も同様であり、２つの第２規制部材４０Ｌ、４０Ｒについて、各々の係合フック部４２の切欠きＣＵＴが棚柱１に係合させることで棚プレート３の上下動を規制している。
【００４０】
ところで、図示例では、残余空間ＲＶの直上の開口穴ＨＯを使用しているが、棚プレート３の厚みが増す場合には、その厚みに対応して、図示状態の更に上側の開口穴ＨＯを使用すれば良い。
【００４１】
以上、本発明の実施例について詳細に説明したが、具体的な記載内容は、特に本発明を限定するものではない。特に、第１規制部材３０や第２規制部材４０の形状についても適宜に変更可能である。図６は、第１規制部材について別の実施例を図示したものである。
【００４２】
この規制部材６０は、樹脂製の一体成型品であって、引き抜き用の案内面ＧＤ１を有して略平板状に形成された本体部６１と、本体部６１から略直交して突出する規制突部６２とで構成されている。
【００４３】
規制突部６２は、詳細には、本体部６１に連続する基端部６２ａと、基端部６２ａから略平行に突出する２つの突出片６２ｂ，６２ｂとに区分され、全体として略Ｕ字状の端面を形成している。ここで、２つの突出片６２ｂ，６２ｂの外側端面ＧＤ２，ＧＤ２の離間距離は、その最大値Ｗ’が、棚柱１の開口穴ＨＯの左右幅Ｗにほぼ一致しており、突出方向に向けて漸次狭くなっている。そして、各々の外側端面ＧＤ２，ＧＤ２が挿入用の案内面として機能している。また、２つの突出片６２ｂ，６２ｂの上下高さＨ’は、棚柱１の開口穴ＨＯに支持ブラケット２の進入部２０を挿入した状態における残余空間ＲＶの上下高さ（Ｈ−Ｌ）よりやや短く形成されている。
【００４４】
そのため、図６（ｂ）の姿勢にした規制部材６０を残余空間ＲＶに押し込むと（図６（ｃ）参照）、２つの突出片６２ｂ，６２ｂが、近接方向にやや変形されて、残余空間ＲＶの内周面に固定されることになる。したがって、この規制部材６０によっても、支持ブラケット２の上下動を確実に規制することができる。
【００４５】
なお、装着状態の規制部材６０を取り外したい場合には、ドライバの先端などを案内面ＧＤ１に押し込むことで、取り外し作業を終えることができる（（図６（ｄ）参照）。
【００４６】
ところで、ここまで、図２の形状の支持ブラケット２を前提として説明したが、支持ブラケット２の形状も何ら限定されず、図７に示す各種の支持ブラケットを使用することができる。そして、何れの支持ブラケットを使用した場合にも、第１規制部材３０や第２規制部材４０が好適に機能する。
【００４７】
更にまた、支持ブラケット２は、必ずしも、棚プレート３の下面を支持する必要はなく、丸パイプ状又は角パイプ状の陳列補助具３の両端面を支持するのも好適である。図８は、このような支持ブラケット２を図示したものであり、一対の支持ブラケット２，２は、その先端部において、丸パイプ材５０や角パイプ材５１の両端面を保持している。
【００４８】
なお、丸パイプ材５０には、例えば、衣類を吊るした衣類ハンガーが係止され、また、角パイプ材５１には、例えば、棒状ハンガー５２の角型基端部５２Ａが係止される。
【符号の説明】
【００４９】
１  棚柱
２  支持ブラケット
３  陳列補助具
４  係合部
５  突出部
２０  進入部
２０ａ  基端部
２０ｂ  先端部
ＨＯ  開口穴
ＲＶ  残余空間
３０  規制部材
３２  規制突部
【図１】
2016022178.tif 000003
【図２】
2016022178.tif 000004
【図３】
2016022178.tif 000005
【図４】
2016022178.tif 000006
【図５】
2016022178.tif 000007
【図６】
2016022178.tif 000008
【図７】
2016022178.tif 000009
【図８】
2016022178.tif 000010